(57)【要約】【課題】導光板の両面から出射される光を有効に利用すると共に、出射面の輝度むらを改善した面状照明装置提供する。【解決手段】出射光を出射面９０、出射面９１から被照明体側に導くように構成された導光板１１の一端面側に光源１が配置されている。少なくとも出射面９１の全面には、光拡散シート３０と集光シート４０、４１が配置されている。また、前記出射面９１よりも面積が小さい反射手段２が前記光拡散シート３０と集光シート４０、４１に重ねて配置されている。光は、出射面９０では領域全面出射される。出射面９１では領域イに出射された光は、反射手段２で反射されて出射面９０への出射光として寄与し、領域ロに出射された光は、被照明体の輝度を上昇光が有効に利用されると共に、出射面９０の輝度むらが低減される。【選択図】        図１
2004253257.tif 000002
【特許請求の範囲】
【請求項１】
第１の主平面と第２の主平面の両面を出射面として光源からの出射光を被照明体側に導くように構成された導光板の一端面に前記光源を配置し、少なくとも前記第２の主平面の全面に光拡散シートと集光シートからなるシートを配置すると共に、前記第２の主平面よりも面積が小さい反射手段を前記シートに重ねて配置したことを特徴とする面状照明装置。
【請求項２】
前記反射手段は、前記第２の主平面から出射されて当該面状照明装置の出射光として利用される領域を除いて設けられていることを特徴とする請求項１に記載の面状照明装置。
【請求項３】
前記光拡散シートのヘイズ値が、８５％以上９５％以下であることを特徴とする請求項１に記載の面状照明装置。
【請求項４】
前記集光シートは、断面形状が三角形の多数の凸状が繰り返し形成されたシート２枚から構成され、各シートの凸状の稜線が形成されている側が前記被照明体側を向くと共に、各シートの稜線の方向が互いに直交するように配置されていることを特徴とする請求項１に記載の面状照明装置。
【請求項５】
前記集光シートの厚みが、５０μｍ以上３００μｍ以下であることを特徴とする請求項１又は４に記載の面状照明装置。
【請求項６】
前記反射手段は、前記導光板に面する側の前記第２の主平面から出射されて当該面状照明装置の出射光として利用される領域に近い側に、反射率が変化した領域が形成されていることを特徴とする請求項１又は２に記載の面状照明装置。
【請求項７】
前記第２の主平面に配置されるシートに重ねて、少なくとも前記反射手段が配置されていない面部に偏光手段が配置されていることを特徴とする請求項１に記載の面状照明装置。
【発明の詳細な説明】
【０００１】
【発明の属する技術分野】
本発明は、面状照明装置に関し、特に導光板の両面から光を出射する面状照明装置に関するものである。
【０００２】
【従来の技術】
従来、ノート型パソコン等の携帯用電子機器を用いた教育やビジネスにおいて先生等の携帯用電子機器を操作して教育する者に対面する生徒等が裏側から液晶表示を見る要求があった。このような要求に応えるために、図１０のような実施の形態の携帯用電子機器であるノート型パソコンの液晶表示装置がある（例えば特許文献１参照。）。
【０００３】
図１０は従来の液晶表示装置の断面図であって、携帯用電子機器本体に液晶表示装置１が開閉可能に取り付けられている。液晶表示装置１は、冷陰極蛍光管１４と導光板１１と冷陰極蛍光管１４の外側を覆う反射シート６とで構成されるバックライトの両面に、液晶７をガラス板５、偏光板８で挟み込んだ液晶パネルを貼りあわせている。冷陰極蛍光管１４を発光源とし、冷陰極蛍光管１４の背後を反射シート６で覆い、光を導光板１１へ導き、導光板１１の全体から発光させる。この偏光板８、ガラス５、液晶７からなる液晶パネルを導光板１１の両面に貼り合わせることで液晶表示装置の両面の表示を可能にした。
【０００４】
【特許文献１】
特開平１０−９０６７８号公報
【０００５】
【発明が解決しようとする課題】
一方、近年、携帯電話の普及によって、該携帯電話にカメラ機能が付加され、撮影者と被撮影者とが両側から撮影される映像を見たいという要求もある。係る携帯電話などでは、撮影される映像を見るために、液晶表示装置が撮影者と被撮影者の両側に設けられている。そして、前記両側に設けられた液晶表示装置は、その大きさが異なっている場合がある。しかし前述の特許文献１に開示されている液晶表示装置においてその大きさを異ならしめた場合には以下のような問題点があった。
【０００６】
即ち、図１１に示すように、例えば撮影者が一方の液晶７ＢをＰ方向から見て、被撮影者が他方の液晶７ＡをＴ方向から見る場合であって、撮影者がＰ方向から見る液晶７Ｂが大きい場合について説明する。図１１において、符号８、８Ａ、８Ｂは液晶表示装置に用いられる周知の偏光板、１４は冷陰極蛍光管である。図１１から明らかなように、被撮影者側に導光板１１から出射される光ＰＲは、他方の液晶７Ａが小さいために該液晶７Ａがない部分ではそのまま外に出射されて有効に利用されない。そのために光源の電力が無駄に消費され、特に携帯電話などの低消費電力化が要求される分野などでは、その影響が大きい。
【０００７】
また、撮影者がＰ方向から見る液晶７Ｂが大きい結果、被撮影者側にある他方の液晶７Ａが配設されていない領域イ部（非表示領域）と他方の液晶７Ａが配設されている領域ロ部（表示領域）とが生じる。前述したように前記非表示領域イ部では導光板１１から出射される光ＰＲはそのまま外に出射されるが、領域ロ部（表示領域）では他方の液晶７Ａから反射された光が再度導光板１１に入射し、一方の液晶７Ｂの入射光として寄与する。そのため、撮影者が一方の液晶７ＢをＰ方向から見た時に、一方の液晶７Ｂの領域ロ部にあたる部分は輝度が高くなり、領域イ部にあたる部分は輝度が低くなる。
【０００８】
例えば、代表的な携帯電話に使用されている１．８インチの液晶表示装置では、一方の液晶７Ｂの反対側には他方の液晶７Ａが領域ロ部に配置されていて、光源に４個のＬＥＤ１が用られている（図１２（ｂ）参照）。かかる場合、領域ロ部と領域イ部とで明暗の差が生じる。例えば、一方の液晶７Ｂが配設される側の出射面の、図１２（ａ）に示した○印の箇所における輝度は図１２（ｂ）に示すようになる（数値は実測値の相対値を示す）。図１２（ｂ）では一方の液晶７Ｂの領域ロ部にあたる部分は輝度が高くなり、領域イ部にあたる部分は輝度が低くなり、その差は最大１．４倍である。即ち、領域イ部では光が無駄になっているとともに、一方の液晶７Ｂは輝度むらが生じている。
【０００９】
このように、液晶表示装置が撮影者と被撮影者の両側に設けられているような用途以外に、両面が異なる面積の照明装置としての用途もあるが、何れも前記したような問題点がある。本発明は、かかる問題を解決して、異なる大きさの面状照明装置における輝度むらを改善すると共に、導光板から出射される光を有効に利用すると共に、視認性の優れた面状照明装置を提供することを目的としてなされたものである。
【００１０】
【課題を解決するための手段】
本発明は、上記目的を達成するために請求項１に記載の面状照明装置は、第１の主平面と第２の主平面の両面を出射面として光源からの出射光を被照明体側に導くように構成された導光板の一端面に前記光源を配置し、少なくとも前記第２の主平面の全面に光拡散シートと集光シートからなるシートを配置すると共に、前記第２の主平面よりも面積が小さい反射手段を前記シートに重ねて配置したことを特徴とする。
【００１１】
請求項２に記載の面状照明装置は、請求項１に記載の面状照明装置において、前記反射手段は、前記第２の主平面から出射されて当該面状照明装置の出射光として利用される領域を除いて設けられていることを特徴とする。
【００１２】
請求項３に記載の面状照明装置は、請求項１に記載の面状照明装置において、前記光拡散シートのヘイズ値が、８５％以上９５％以下であることを特徴とする。
【００１３】
請求項４に記載の面状照明装置は、請求項１に記載の面状照明装置において、前記集光シートは、断面形状が三角形の多数の凸状が繰り返し形成されたシート２枚から構成され、各シートの凸状の稜線が形成されている側が前記被照明体側を向くと共に、各シートの稜線の方向が互いに直交するように配置されていることを特徴とする。
【００１４】
請求項５に記載の面状照明装置は、請求項１又は４に記載の面状照明装置において、前記集光シートの厚みが、５０μｍ以上３００μｍ以下であることを特徴とする。
【００１５】
請求項６に記載の面状照明装置は、請求項１又は４記載の面状照明装置において、前記反射手段は、前記導光板に面する側の前記第２の主平面から出射されて当該面状照明装置の出射光として利用される領域に近い側に、反射率が変化した領域が形成されていることを特徴とする。
【００１６】
請求項７に記載の面状照明装置は、請求項１に記載の面状照明装置において、前記第２の主平面に配置されるシートに重ねて、少なくとも前記反射手段が配置されていない面部に偏光手段が配置されていることを特徴とする。
【００１７】
【発明の実施の形態】
図１により本発明の面状照明装置における第１の実施形態を説明する。発光ダイオード（ＬＥＤ）等の光源１からの出射光を出射面９０、９１から被照明体側に導くように構成された導光板１１の一端面側には、前記光源１が配置されている。前記導光板１１の出射面９０（以下第１の主平面９０と称す）と出射面９１（以下第２の主平面９１と称す）の両面を出射面とする。少なくとも前記第２の主平面９１の全面には、光拡散シート３０と集光シート４０、４１からなるシート（以下、シート類と称す）が配置されている。前記第２の主平面９１よりも面積が小さい反射手段２が前記シート類に重ねて配置されている。すなわち、前記シート類は、光を出射させる領域（被照明体が存在する領域）のみではなく、光を反射させる領域（反射手段２を配置する領域）まで延長して設けられている。後述するように、シート類は光を出射させる領域のみに存在すればその本来の機能を果たすものであるが、反射手段２を配置する領域にも設けることにより、新たな効果を奏するものである。
【００１８】
前記導光板１１の両出射面には、例えば、図２を用いて後述するように、第１の主平面９０側には、第１の液晶表示素子（液晶表示パネル）が被照明体として配設されてもよい。また、第２の主平面９１側には、前記第１の液晶表示素子より表示面積の小さい第２の液晶表示素子（液晶表示パネル）が被照明体として配設されてもよい。なお、前記被照明体は、第１の液晶表示素子と、第２の液晶表示素子以外のものであってもよく、又、被照明体は、導光板１１に密着していなくてもよい。即ち、被照明体として表示装置を備えていない、導光板１１から離れた面を照明するための面状照明装置として用いてもよい。また、集光シート４１の外側に、集光シート４１と重ねて被照明体とほぼ同じ大きさの反射型偏光手段を設けることにより、被照明体に直線偏光の光のみを出射させるようにしてもよい。反射型偏光手段とは、直交する二つの直線偏光のうち、一方の偏光を透過し、他方の偏光を反射させる機能を有するものであり、例えば住友スリーエム社のＤＢＥＦシリーズが周知である。なお、偏光手段としては反射型偏光手段よりも安価な吸収型の偏光手段であってもよいが、反射型変更手段を用いる方が、光を有効に利用できる。また、いずれのタイプの偏光手段であっても、集光シート４１と重ねて配設することにより、第１の主平面９０側から第２の主平面側９１の被照明体を視認しにくくする効果があることがわかった。
【００１９】
前記導光板１１は、ガラス、ポリカーボネート、ポリエステル、ポリメチルメタクリレートなどの透明性の良好な素材から成り、その表面には光源１からの光を出射面のどの位置からも均一に出光するよう乱反射を起こさせる図示していない周知のドットパターンが、その両面あるいは片面に、その形状、配置を変えて施されている。拡散シート３０は、導光板１１に形成された前記ドットパターンの形状が使用者に視認されないように光線を拡散するものであり、光拡散剤練込タイプまたはランダム凹凸加工タイプがある。光拡散シート３０に光を照射したときの全透過光に対する拡散透過光の割合であるヘイズ値（曇値）は、大きいほど拡散性がよくなり、前記ドットパターンの形状が使用者に視認されない。又、拡散シート３０を集光シート４０、４１に重ねて使用する場合には、拡散シート３０の前記ヘイズ値はある程度大きいほうが正面輝度は上昇する。しかし、大きすぎると透過度が低下して、輝度の低下が生じる。以上のことから、前記ヘイズ値は、８５％以上９５％以下であることが好ましい。
【００２０】
光拡散シート３０のシートの厚さは限定されないが、通常１０μｍ以上、好ましくは２０〜３００μｍである。光拡散シート３０を構成する樹脂は透明な樹脂であれば特に限定されず、透明な樹脂としては、ポリカーボネート、ポリエステル、ポリメチルメタクリレートなどが例示される。
【００２１】
図３に示すように、光拡散シート３０には、集光シートとして周知のＢＥＦ（Ｂｒｉｔｅｎｅｓｓ  Ｅｎｈａｎｃｅｍｅｎｔ  Ｆｉｌｍ）フィルム（以下、ＢＥＦフィルムを集光シートと称する）４０、４１が積層して形成されている。該集光シートは、透過性に優れたポリエステル、アクリル樹脂などの表面にプリズムパターンを精密形成した光学フィルムで、微細なプリズム構造が並ぶフィルターをバックライトの前に入れることで、同じバックライトの光量でも正面方向の輝度が向上するものである。
【００２２】
集光シート４０、４１は、プリズム構造４０１、４１１が互いに９０度交叉する方向に２枚重ね合わせてある。該プリズム構造４０１、４１１は、それぞれの稜線４０２と４１２とが形成されている側が、前記被照明体側を向くと共に、各シートの稜線の方向が互いに直交するように光拡散シート３０に積層して形成されている。プリズム構造４０１、４１１が互いに９０度、交叉することで、性能が向上し、ウェットアウト（画面のにじみ）を解消し、リフレクティブモアレ（光った部分と光を拡散する部分の縞模様）を抑制する作用をなす。
【００２３】
また、前記稜線４０２、４１２と、図１符合Ｂで示される箇所（反射手段２と第２の主平面９１から出射されて当該面状照明装置の出射光として利用される領域ロとの境界）との角度は任意である。即ち、集光シート４０、４１を、前記導光板１１に対して稜線４０２と４１２が任意の傾斜で配設してよい。前記集光シート４０、４１の厚さは、厚いほど視認性は改善されるが、一方、厚いほど透過率が低下すると共に、装置全体の厚さも増加する。以上のことから、集光シート４０、４１の厚さは、好ましくは５０〜２００μｍである。
【００２４】
前記第２の主平面９１よりも面積の小さい反射手段２が、領域イ（図１（ｂ）参照）に前記シート類に重ねて配置されている。前記領域イとロは、以下のように区分される。例えば、第２の主平面９１には液晶表示素子（液晶表示パネル）が被照明体として領域ロに配設され、該領域ロ以外の領域イには、反射手段２が配設される。即ち、前記反射手段２は、前記第２の主平面９１から出射されて当該面状照明装置の出射光として利用される領域ロを除いて設けられている。
【００２５】
その結果、前述したように前記領域ロ部では導光板１１から出射される光はそのまま外に出射されるが、領域イ部では反射手段２から反射された光が再度、導光板１１に入射し、第１の主平面への出射光として寄与する。そのため、第１の主平面は輝度が高くなる。前記反射手段２は、例えば銀などの高反射率の素材が表面にコーティングされた反射板（フィルム）などであるが、これ以外の例えば金属板や誘電体多層膜からなる反射板であってもよい。
【００２６】
図１における第１の実施形態の作用について説明する。光源１からの出射光は導光板１１から両主平面９０、９１に出射される。かかる出射光は、一方の主平面９０においては、その表示領域全面に対して出射される。また、他方の主平面９１における領域ロ以外の領域（領域イ）に出射された光は、反射手段２で反射されて集光シート４１、４０及び光拡散シート３０を透過して導光板１１に再入射し、第１の主平面９０への出射光として寄与する。そのため、第１の主平面９０の輝度を上昇するように作用する。また、反射手段２により反射された光は、集光シート４１、４０及び光拡散シート３０の屈折、反射、拡散作用によりミキシングされる。この作用により、反射率の不連続部（反射手段２におけるエッジ部）に対応して発生する明暗差あるいは反射手段２の表面に存在する傷やしわなどの欠陥によって発生する反射光の不均一性を緩和させることができる。即ち、第１の主平面に出射する光が均一化され、見るものにとっての視認性が頗る改善される。
【００２７】
一方、導光板１１から出射された光のうち、領域ロに出射された光は、図示していない被照明体の輝度を上昇するように作用する。即ち、導光板１１から出射された光は無駄になることなく有効に利用されると共に、反射手段２からの反射光により第１の主平面９０の輝度が増加し、その結果、第１の主平面９０の輝度むらが低減される。
【００２８】
ここで図９を用いて、前記第１の実施形態での導光板１１の第１の主平面９０における輝度の改善について説明する。但し、反射手段２は図１と異なり、配設領域ロ部が光源１から離れて設けられている。図９（ｂ）は、第１の主平面９０における図９（ａ）に示した○印の箇所の、輝度の実測値（相対値）である。領域イ部にあたる部分の輝度は１．２倍に上昇し、領域ロ部との輝度の差は１．０２倍に低下し、反射手段２の効果が著しいことが分る。即ち、領域イ部の光が有効に利用されると共に、第１の主平面９０の輝度むらが低減されている。
【００２９】
次に図２を用いて第２の実施形態について説明するが、第１の実施形態の同一部分には同一符号を付してその説明を省略する。第２の実施形態と第１の実施形態との差異は以下のようである。即ち、第２の実施形態では、第１の主平面９０側に第１の液晶表示素子（液晶表示パネル）Ｄ１が被照明体としてシート類に重ねて配設される。また、第２の主平面９１側には、前記第１の液晶表示素子Ｄ１より表示面積の小さい第２の液晶表示素子（液晶表示パネル）Ｄ２が被照明体としてシート類に重ねて配設されている。また、第１の実施形態と同様にシート類に重ねて反射型又は吸収型偏光手段を配設してもよい。
【００３０】
前記第１の液晶表示素子Ｄ１は、液晶素子７０と該液晶素子７０の両面に形成された偏光板８０から構成される。また、第２の液晶表示素子Ｄ２は、液晶素子７１と該液晶素子７１の両面に形成された偏光板８１から構成され、前記第１の液晶表示素子Ｄ１より表示面積が小さい。なお、前記第１の液晶表示素子Ｄ１と、第２の液晶表示素子Ｄ２は、それぞれ偏光板８０、偏光板８１を必要とする、例えばＴＮ（Ｔｗｉｓｔｅｄ  Ｎｅｍａｔｉｃ）型の液晶素子７０、７１として説明するが、これ以外に、偏光板が１枚、あるいは不要な、例えばＧＨ（Ｇｕｅｓｔ  Ｈｏｓｔ）型、あるいは強誘電性型の液晶素子であってもよい。なお、前記反射型又は吸収型偏光手段を配設した場合には、第２の液晶表示素子Ｄ２におけるシート類側の偏光板８１を省略することができる。
【００３１】
前記第２の液晶表示素子Ｄ２が配設される出射面の領域イには、前記第１の液晶表示素子Ｄ１に向けて光を反射する反射手段２がシート類に重ねて設けられている。点Ｂで示される箇所は、反射手段２と液晶表示素子Ｄ２との境界である。前記第２の実施形態における反射手段２は、例えば銀などの高反射率の素材が表面にコーティングされた反射板（フィルム）などであるが、これ以外の例えば金属板や誘電体多層膜からなる反射板であってもよい。
【００３２】
図２における第２の実施形態の作用について説明する。光源１からの出射光は導光板１１から両主平面９０、９１に出射される。かかる出射光は、一方の主平面９０においては第１の液晶表示素子Ｄ１に対してその表示領域全面に対して出射される。また、他方の主平面９１の表示領域ロ以外の領域（非表示領域イ）に出射された光は、反射手段２で反射されて集光シート４１、４０及び光拡散シート３０を透過して導光板１１に戻る。そして導光板１１から第１の液晶表示素子Ｄ１側にある光拡散シート３０及び集光シート４０、４１を透過して第１の液晶表示素子Ｄ１に入射され、光が有効に利用され第１の液晶表示素子Ｄ１の輝度を上昇するように作用する。また、第１の実施形態で説明したように、反射手段２により反射された光は、集光シート４１、４０及び光拡散シート３０の屈折、反射、拡散作用によりミキシングされる。この作用により、反射率の不連続部（反射手段２におけるエッジ部）に対応して発生する明暗差あるいは反射手段２の表面に存在する傷やしわなどの欠陥によって発生する反射光の不均一性を緩和させることができる。即ち、第１の主平面に出射する光が均一化され、液晶表示素子Ｄ１の画質が頗る改善される。
【００３３】
一方、導光板１１から出射された光のうち、第２の液晶表示素子Ｄ２の表示領域ロに出射された光は、液晶素子７１に入射され第２の液晶表示素子Ｄ２の輝度を上昇するように作用する。即ち、導光板１１から出射された光は無駄になることなく有効に利用されると共に、反射手段２からの反射光により第１の液晶表示素子Ｄ１の輝度が増加し、その結果、第１の液晶表示素子Ｄ１の輝度むらが低減される。
【００３４】
次に、反射手段２として前記反射板を用いた時の更に改善を加えた反射板２の実施形態について図４から図８を用いて説明する。前記シート類を介して反射板２を配設したことにより、輝度の向上と輝度むらの低減を達成することができるが、反射板２の境目（点Ｂ）に輝度の差が発生する場合があり、また、僅かな輝度の差でも見る者に、その境界が認識され得る場合がある。かかる問題点を解決するために、図４から図８は、反射板２の境目（点Ｂ）近傍における反射板２の反射率に変化をつける反射率調整手段を設けたものである。
【００３５】
図４は、反射率調整手段として円形模様部２０を反射板２の境目（点Ｂ）近傍の導光板１１に対向する面２ａに形成したものである。円形模様部２０は、反射板２より反射率の低い例えば白色のペイントなどで反射板２に塗布したものである。該円形模様部２０は、点Ｂから遠ざかるにつれてその形（密度）が小さくなり、点Ｂに近づく程、反射板２の反射率が減少するようになっている。かかる円の大きさと数は、導光板１１の大きさなどを勘案して適宜決定する。また、円形模様部２０の形状は円形に限るものではなく、四角形など、他の形状であってもよい。
【００３６】
図５は、反射板２の境目（点Ｂ）近傍の導光板１１に対向する面２ａ側に反射率調整手段として帯状部２１を形成したものである。該帯状部２１は、反射板２より反射率の低い反射フィルム、例えば白色のテープ、などを貼りつけるか、あるいは白色のペイントを帯状に塗布したものである。該帯状部２１は、望ましくは点Ｂに近づくにつれてその反射率が減少するようになっている。また、帯状部２１の幅Ｗは、導光板１１の大きさなどを勘案して適宜決定する。
【００３７】
図６は、反射板２の境目（点Ｂ）近傍に反射率調整手段として円形の孔２２を形成したものである。該円形の孔２２は、点Ｂから遠ざかるにつれてその形（密度）が小さくなり、点Ｂに近づく程、反射板２の反射率が減少するようになっている。かかる円形の孔２２の大きさと数は、導光板１１の大きさなどを勘案して適宜決定する。また、円形の孔２２の形状は円形に限るものではなく、四角形など、他の形状であってもよい。
【００３８】
図７は、反射率調整手段である図３の実施形態の帯状部２１に加えて、反射板２の境目（点Ｂ）側を波形２３に形成したものである。帯状部２１は、反射板２より反射率の低い例えば白色のテープなどを貼りつけるか、あるいは白色のペイントを帯状に塗布したものである。該帯状部２１は、望ましくは点Ｂに近づくにつれてその反射率が減少するように形成するのがよいが、帯状部２１は必ずしも設ける必要はなく、波形２３のみを形成したものであってもよい。また、波型２３の大きさと数及び帯状部２１の幅Ｗは、導光板１１の大きさなどを勘案して適宜決定する。
【００３９】
図８は、反射率調整手段である図３の実施形態の帯状部２１に加えて、反射板２の境目（点Ｂ）側を三角形２４に形成したものである。帯状部２１は、反射板２より反射率の低い例えば白色のテープなどを貼りつけるか、あるいは白色のペイントを帯状に塗布したものである。この場合、帯状部２１は、望ましくは点Ｂに近づくにつれてその反射率が減少するように形成するのがよいが、帯状部２１は必ずしも設ける必要はなく、三角形２４のみを形成したものであってもよい。また、三角形状２４の大きさと数及び帯状部２１の幅Ｗは、導光板１１の大きさなどを勘案して適宜決定する。
【００４０】
なお、図１に示した第１の実施形態では、反射板２は光源１が設けられている側から離れた位置に設けられているが、これに限らず、反射板２を図１とは逆に配置にして、光源１側に近接して配設してもよい。あるいは、第１の主平面９０の範囲内であれば、どこに配置してもよい。何れの場合であっても、第１の主平面９０に向けて光を反射するように第２の主平面９１の領域に反射手段が配設される。即ち、図１における領域イを領域ロの左側としてもよく、あるいは、領域ロの両側が領域イとなるように反射手段２を配設してもよい。このことは、図２に示した第２の実施形態についても同様である。また、前記実施形態の導光板１１は断面形状が長方形であるが、これ以外に楔型形状であってもよい。係る場合には、反射板２は当該導光板１１の形状に沿って形成される。
【００４１】
また、図４から図８では反射率調整手段２１が反射板の左側に形成されているが、反射板２と領域ロまたは第２の液晶表示素子Ｄ２との配置が図１又は２に示した以外の場合には、これとは限らず、反射率調整手段２１は、反射板２と領域ロまたは第２の液晶表示素子Ｄ２との境目に形成される。
【００４２】
【発明の効果】
本発明の面状照明装置によれば、導光板の両面に出射される光の有効利用が図れると共に、反射板が設けられていない第１の主平面９０における輝度の向上と輝度むらの低減及び視認性の改善が達成できる。
【図面の簡単な説明】
【図１】本発明の第１の実施形態を示す図であって、図１（ａ）は上面図、図１（ｂ）はＫ−Ｋ断面図である。
【図２】本発明の第２の実施形態を示す図である。
【図３】本発明の第１の実施形態におけるＦ方向から見た一部斜視図（図３（ａ））と、Ｓ部拡大図（図３（ｂ））である。
【図４】本発明における反射率調整手段の第１の実施形態を示す図である。
【図５】本発明における反射率調整手段の第１の別の実施形態を示す図である。
【図６】本発明における反射率調整手段の第１の別の実施形態を示す図である。
【図７】本発明における反射率調整手段の第１の別の実施形態を示す図である。
【図８】本発明における反射率調整手段の第１の別の実施形態を示す図である。
【図９】第１の実施形態での第１の液晶表示素子が配設される側における導光板出射面の輝度の説明図である。
【図１０】従来の液晶表示装置の断面図である。
【図１１】従来の液晶表示装置における問題点を説明する図である。
【図１２】従来の液晶表示装置における導光板出射面の輝度の説明図である。
【符号の説明】
１  光源
２  反射手段
１１  導光板
４０、４１  集光シート
３０  光拡散シート
７０、７１  液晶素子
Ｄ１  第１の液晶表示素子
Ｄ２  第２の液晶表示素子
【図１】
2004253257.tif 000003
【図２】
2004253257.tif 000004
【図３】
2004253257.tif 000005
【図４】
2004253257.tif 000006
【図５】
2004253257.tif 000007
【図６】
2004253257.tif 000008
【図７】
2004253257.tif 000009
【図８】
2004253257.tif 000010
【図９】
2004253257.tif 000011
【図１０】
2004253257.tif 000012
【図１１】
2004253257.tif 000013
【図１２】
2004253257.tif 000014